【事件の表示】
　特願２００９−２３６８５３号「腰曲がり防止用腰当て装具」拒絶査定不服審判事件〔平成２３年　２月　３日出願公開、特開２０１１−　１９８９５号〕について、次のとおり審決する。
【結　論】
　本件審判の請求は、成り立たない。
【理　由】
１．手続の経緯 
　本願は、平成２１年１０月１４日（優先権主張　平成２１年６月１６日）の出願であって、平成２２年１１月１６日付けで拒絶査定がなされ、これに対し、平成２２年１２月１４日に拒絶査定不服審判の請求がなされたものである。 
　 
２．本願発明
　本願の請求項１に係る発明（以下、「本願発明」という。）は、特許請求の範囲の請求項１に記載された事項により特定される、以下のとおりのものである。 
「腰曲がり防止用腰当て装具であって、
　着用者の腰部背面の横方向領域を覆う幅寸法と、該腰部背面を臀部から背中下部領域まで覆う高さ寸法を有する、ほぼ矩形形状の弾力性プレートと、
　前記弾力性プレートの片側に設けられ、着用者の着衣のベルトに係合するベルト係合部材と、
からなり、前記弾力性プレートを着衣の身体側に配置し、前記ベルト係合部材を着衣の外側に出し該着衣のベルトに係合させるように構成されたことを特徴とする腰曲がり防止用腰当て装具。」 
　 
３．引用刊行物 
　原査定の拒絶の理由に引用された、本願の優先権主張日前に日本国内において頒布された刊行物である特開平１０−２４８９８７号公報（以下、「引用刊行物１」という。）には、図面とともに、以下の事項が記載されている。
（ア）「【請求項１】　人体後側の腰部にあてがわれる弾性を有する樹脂からなる腰部サポート樹脂板であって、前記腰部サポート樹脂板は少なくとも、人体の後中心の腰椎に当接される部分に沿った部分の一部と、その左右の広背筋のうちやや後中心寄りの部分に当接される部分の一部に穴が設けられており、前記穴の占める面積割合が前記腰部サポート樹脂板と穴の合計面積の１０〜６０％である腰部サポート樹脂板。・・・
【請求項４】  更に腰部サポート樹脂板の左右の両端部近傍に緊締用ベルト取り付け用の細長い穴を有している請求項１〜３のいずれかに記載の腰部サポート樹脂板。
【請求項５】  緊締用ベルト取り付け用の細長い穴が、広幅のベルト取り付け用の長さの長いほぼ縦方向を向いた左右１対づつの穴と、やや細幅のＹ字状ベルトを取り付けるためのやや斜め方向に向いている左右２対づつの穴の２種類の緊締用ベルト取り付け用の細長い穴である請求項４に記載の腰部サポート樹脂板。・・・」（特許請求の範囲） 
（イ）「本発明は、腰部サポート樹脂板に関するものである。特に本発明は、スポーツ用に好適な腰部サポート樹脂板に関するものである。」（段落【０００１】） 
（ウ）「図１は本発明の腰部サポート樹脂板の一実施形態である第１の実施形態を示す平面図である。図１において、１が弾性を有する樹脂からなる腰部サポート樹脂板であり、２が人体の後中心の腰椎に当接される部分に沿った部分の一部に設けられた穴、３、３´が左右の広背筋のうちやや後中心寄りの部分に当接される部分の一部に設けられた穴であり、この２と３、３´の穴の占める合計の面積割合が前記腰部サポート樹脂板と前記穴の合計面積の１０〜６０％にする必要がある。・・・本発明の腰部サポート樹脂板は、これらの穴が上記割合で設けられていることにより、上下方向の強い衝撃に対し、腰部を安定してサポートする機能を保持しながら、腰部左右方向へのひねりには追従可能なある程度の自由性が確保し得る。従って前述した様な極めて激しいスポーツにも通常のスポーツにも使用できる腰部サポート樹脂板を提供できる。そしてこれらの穴が設けられていることにより、腰部サポート樹脂板を装着した際に、腰部の曲面形状へのフィツトも高めることができる。
　・・・また、緊締用ベルト取り付け用の細長い穴を有している。この例では緊締用ベルト取り付け用の細長い穴が２種類設けられている。例えば後述する図１１に示される様なやや細幅のＹ字状ベルト６０、６０´を取り付けるためのやや斜め方向に向いている左右２対づつの穴５、５´とそれより広幅のベルトの取り付け用のほぼ縦方向を向いた穴の長さの長い左右１対づつの穴６、６´が設けられている。・・・ベルトを取り付けるための穴５、５´と穴６、６´も必ずしも必要ではなく、例えばベルトを別の取り付け機構（例えば腰部サポート樹脂板の左右の両端を挟みつけて固定する様な固定用部品を用いた固定手段など）を採用する場合は特に必要としないが、これらの穴を設けておく方が、ベルト取り付けに際して特別の固定部品を用いなくても容易にベルトが取り付けられるので好ましい。」（段落【００３１】〜【００３２】）
（エ）「尚、理解を容易にするために、図２１に背面側から見た人体の部分骨格図、図２２に広背筋の位置を説明するための背面側から見た人体の部分筋肉図を示した。  図２１において、人体の後ろ中心に沿って脊椎があり、その下方部分である腰椎は、２０１が第１腰椎、２０２が第２腰椎、２０３が第３腰椎、２０４が第４腰椎、２０５が第５腰椎と呼ばれている。２０６は仙骨、２０７はいわゆる腰骨に相当する腸骨、２０８は肋骨を示している。図２２において、２１１、２１１´が左右のそれぞれの広背筋を示している。尚、前述の第１腰椎の位置は２０１で、また前述の第５腰椎の位置は２０５で示してある。
　腰部サポート樹脂板の大きさは、中央部の上下方向の寸法がほぼ第１腰椎〜第５腰椎までをカバーする程度の寸法を有し、中央部の上下方向をほぼ第１腰椎〜第５腰椎にあてがった状態で、横方向の寸法が、ほぼ左右の広背筋の脇側の縁までに至る寸法の大きさであるのが好ましい。こうすることにより、腰部をサポートする機能が良好に発揮でき好ましい。」（段落【００３４】〜【００３５】）
（オ）「尚、図１１では、本発明の腰部サポート樹脂板１を単独で用いる例を示しているが、図１０などで示した様に更に必要に応じてエラスチックボーン４１、４１´を装着してもよいことはもちろんである。」（段落【００５１】）
（カ）「尚、図１４では、腰部サポート樹脂板１にＹ字状ベルト６０、６０´が取り付けられている態様を示したが、この態様ではＹ字状ベルト６０、６０´は、必ずしも必要ではなく、広幅ベルト９０、９０´のみで使用することもできる。」（段落【００５５】）
（キ）「本発明の腰部サポート樹脂板の素材としては、ＪＩＳ  Ａ  硬度が８５〜９９の合成樹脂板が好ましく用いられ、この範囲のＪＩＳ  Ａ  硬度を有する樹脂板を用いることにより、余りに柔軟性が大き過ぎて腰部のサポート力が小さ過ぎたり、余りに剛性が大き過ぎて腰の動きができにくいと言うこともなく、腰の動きの自由度と腰のサポート力とがバランスよく発揮できスポーツ用として好適であり、好ましい。余りに剛性が大き過ぎる材料を使用した場合には、衝撃が加わった時に腰を傷付けたり、腰部サポート樹脂板が、衝撃に絶えきれず破損したりして危険なこともある。」（段落【００６６】）
（ク）上記記載事項（ウ）及び図１より、腰部サポート樹脂板はほぼ四角形状の弾性を有する樹脂板であるといえる。
　
　以上の記載事項及び図示内容を総合すると、上記引用刊行物１には、以下の発明（以下、「引用発明１」という。）が記載されている。 
　
「腰部をサポートする腰部サポート樹脂板であって、
　中央部の上下方向の寸法が人体のほぼ第１腰椎〜第５腰椎までをカバーする程度の寸法を有し、中央部の上下方向を人体のほぼ第１腰椎〜第５腰椎にあてがった状態で、横方向の寸法が、ほぼ人体の左右の広背筋の脇側の縁までに至る寸法の大きさである、ほぼ四角形状の弾性を有する樹脂板と、
　前記弾性を有する樹脂板に設けられ、ベルトを取り付けるための穴と、
からなり、前記弾性を有する樹脂板をベルトにより人体に取り付けるように構成された腰部をサポートする腰部サポート樹脂板。」
　
　また、原査定の拒絶の理由に引用された、本願の優先権主張日前に日本国内において頒布された刊行物である登録実用新案第３００７１３９号公報（以下、「引用刊行物２」という。）には、図面とともに、以下の事項が記載されている。
（ケ）「適度な弾力のあるバックプレートの一方の滑らかな面に、大小異なる半球状の固い指圧部を両面テープによって着脱自在に複数固定すると共に、バックプレートの他方の面の上部には外ベルト挿入部を設け、該外ベルト挿入部は入れたベルトを囲むように下方の部分を折り上げてベルトから外れない様にすると共に、折り上げた部分の衣類に接する面とバックプレートとの間で衣類を挟む様にし、且つ折り上げた衣類に接する面とバックプレート側の挟む部分には、衣類が滑らない様波状の滑り止め機能を設ける。よってズボン等衣類の内側に直接装着出来る事を特徴とする常用腰当て指圧器。」（実用新案登録請求の範囲の請求項１） 
（コ）「この考案は、ズボン等衣類に指圧器を直接装備し一体にして常時使用する事の
出来る指圧器に関する物である。」（段落【０００１】） 
（サ）「衣類の内側に入れるバックプレート（２）は、薄くて弾力性が有り、折れたり割れたりせず、衣類と擦れて静電気等が防止出来るものである。形としては、図１の様にバックプレート（２）の下部は、下着やズボン等衣類に引っ掛からない様全体を丸くして角を作らない。又、バックプレート（２）の上部はＶ字型の切り欠き部分を作り、スカート等のホック金具が当たらない様にする。・・・又、図２、図３の様にバックプレート（２）の他方の面の上部には、バックプレート（２）をズボン等衣類（８）に固定装着する為に外ベルト挿入部（４）を設ける。
　外ベルト挿入部（４）は、図２の様にバックプレート（２）の上部を他方の面側に外ベルト（７）を包む様に折り曲げる。折り曲げ形としては、外ベルト挿入部（４）はズボン等衣類（８）の外側にくるので、（４−ａ）は、バックプレート（２）に対し直角又は直角より少し鋭角に折り曲げ、一般のベルトの厚さとズボン等衣類の生地の厚さ分の長さとする。（４−ｂ）は、（４−ａ）に対し下向きに直角又は直角より少し鋭角に折り曲げ、一般のベルトの幅分より少し長くする。（４−ｃ）は、（４−ｂ）からバックプレート（２）の方向に（４−ａ）と平行に折り曲げ（４−ａ）よりバックプレート（２）の厚さ分短くする。更にこの先に折り上げ部（５）をバックプレート（２）と平行となる様折り上げる。上記により外ベルト挿入部（４）を成型する。
  外ベルト挿入部全体（４−ａ）（４−ｂ）（４−ｃ）と外ベルト挿入部下方の折り上げ部（５）により、バックプレート（２）と外ベルト挿入部下方の折り上げ部（５）との間に入ったズボン等衣類（８）を強く挟める様にする。・・・
　よって図６の様にバックプレート（２）をズボン等衣類（８）の内側に入れ、着脱自在な半球状の指圧部（１−ａ）（１−ｂ）が任意の位置に当たる様両面テープ（９）で固定する。更に、外ベルト挿入部（４）を図５図６の様にズボン等衣類（８）の外側になる様に装着する。この時、外ベルト挿入部（４）によってズボン等衣類に付随しているベルト（７）を挿入したり、ズボン等衣類（８）を挟みバックプレート（２）を、固定装着する。」（段落【０００６】〜【０００９】）
（シ）図６には、外ベルト挿入部４をズボン等の衣類の外側に出し該ズボン等の衣類のベルトに係合させるように構成された点が示されている。 
 
　
　以上の記載事項及び図示内容を総合すると、上記引用刊行物２には、以下の発明（以下、「引用発明２」という。）が記載されている。 
「弾力性が有るバックプレート２と、該バックプレート２の他方の面の上部に設けられ、ズボン等の衣類のベルトを挿入する外ベルト挿入部４と、からなり、前記弾力性が有るバックプレート２をズボン等の衣類の内側に入れ、前記外ベルト挿入部４をズボン等の衣類の外側に出し該ズボン等の衣類のベルトに係合させるように構成された常用腰当て指圧器。」
　
４．対比・判断 
　本願発明と引用発明１を対比すると、その機能及び構成からみて、引用発明１の「腰部サポート樹脂板」は本願発明の「腰当て装具」に、「弾性を有する樹脂板」は「弾力性プレート」に、「四角形状」は「矩形形状」に、「中央部の上下方向の寸法が人体のほぼ第１腰椎〜第５腰椎までをカバーする程度の寸法を有し、中央部の上下方向を人体のほぼ第１腰椎〜第５腰椎にあてがった状態で、横方向の寸法が、ほぼ人体の左右の広背筋の脇側の縁までに至る寸法の大きさである」は「着用者の腰部背面の横方向領域を覆う幅寸法と」「を有する」に、及び「中央部の上下方向の寸法が人体のほぼ第１腰椎〜第５腰椎までをカバーする程度の寸法を有し」は「該腰部背面を臀部から背中下部領域まで覆う高さ寸法を有する」に、それぞれ相当する。 
　また、上記記載事項（キ）の「本発明の腰部サポート樹脂板の素材としては、ＪＩＳ  Ａ  硬度が８５〜９９の合成樹脂板が好ましく用いられ、この範囲のＪＩＳ  Ａ  硬度を有する樹脂板を用いることにより、余りに柔軟性が大き過ぎて腰部のサポート力が小さ過ぎたり、余りに剛性が大き過ぎて腰の動きができにくいと言うこともなく、腰の動きの自由度と腰のサポート力とがバランスよく発揮でき・・・」との記載からみて、腰部サポート樹脂板は、腰部の前方向の折り曲げに対して抵抗を与えることは明らかであるから、後者の「腰部をサポートする腰部サポート樹脂板」は、腰曲がり防止用といえる。
　また、後者の「前記弾性を有する樹脂板に設けられ、ベルトを取り付けるための穴と、からなり、前記弾性を有する樹脂板をベルトにより人体に取り付けるように構成された」と前者の「前記弾力性プレートの片側に設けられ、着用者の着衣のベルトに係合するベルト係合部材と、からなり、前記弾力性プレートを着衣の身体側に配置し、前記ベルト係合部材を着衣の外側に出し該着衣のベルトに係合させるように構成された」とは、「前記弾力性プレートに設けられ、ベルトに取り付けられるベルト取付手段と、からなり、前記弾力性プレートをベルトにより人体に取り付けるように構成された」の範囲で共通する。
　
　そうすると、両者は
「腰曲がり防止用腰当て装具であって、
　着用者の腰部背面の横方向領域を覆う幅寸法と、該腰部背面を臀部から背中下部領域まで覆う高さ寸法を有する、ほぼ矩形形状の弾力性プレートと、
　前記弾力性プレートに設けられ、ベルトに取り付けられるベルト取付手段と、からなり、前記弾力性プレートをベルトにより人体に取り付けるように構成された腰曲がり防止用腰当て装具。」の点で一致しており、以下の点で相違している。 
　
（相違点） 
　「弾力性プレートに設けられ、ベルトに取り付けられるベルト取付手段と、からなり、前記弾力性プレートをベルトにより人体に取り付けるように構成された」との発明特定事項が、本願発明では、弾力性プレートの片側に設けられ、着用者の着衣のベルトに係合するベルト係合部材と、からなり、前記弾力性プレートを着衣の身体側に配置し、前記ベルト係合部材を着衣の外側に出し該着衣のベルトに係合させるように構成されているのに対し、引用発明では、弾力性プレート（弾性を有する樹脂板）に設けられ、ベルトを取り付けるための穴と、からなり、前記弾力性プレート（弾性を有する樹脂板）をベルトにより人体に取り付けるように構成されている点。
　
　上記相違点について検討する。  
　引用発明２は、「弾力性が有るバックプレート２（弾力性プレート）の他方の面の上部に設けられ、ズボン等の衣類のベルトを挿入する外ベルト挿入部４（ベルト係合部材）と、からなり、前記弾力性が有るバックプレート２（弾力性プレート）をズボン等の衣類の内側に入れ、前記外ベルト挿入部４（ベルト係合部材）をズボン等の衣類の外側に出し該ズボン等の衣類のベルトに係合させるように構成された」点を備えており、かつ引用発明１と引用発明２とは腰部をベルト及びプレート部材によりサポートする（押圧する）という同一の技術分野に属するから、引用発明２の外ベルト挿入部４（ベルト係合部材）を引用発明１のベルトの取付手段である穴に代えて適用して、上記相違点に係る本願発明の発明特定事項のようにすることは当業者が容易に想到し得たことである。
　
　そして、本願発明による効果も、引用発明１及び引用発明２から当業者が予測し得た程度のものであって、格別のものとはいえない。  
　                                
　よって、本願発明は、引用発明１及び引用発明２に基いて、当業者が容易に発明をすることができたものである。 
　 
５．むすび 
　以上のとおり、本願発明は、引用発明１及び引用発明２に基いて、当業者が容易に発明をすることができたものであるから、特許法第２９条第２項の規定により特許を受けることができない。 
　よって、結論のとおり審決する。